(57)【特許請求の範囲】
【請求項１】
（Ａ）下記平均組成式（１）
Ｒ1aＳｉＯ(4-a)/2                                （１）
（式中、Ｒ1は炭素数１〜１０の置換又は非置換の一価炭化水素基である。また、ａは１．５〜２．８の範囲の正数である。）
で示される１分子中に少なくとも平均２個のアルケニル基を有するオルガノポリシロキサン                                                                  １００重量部
（Ｂ）下記平均組成式（２）
Ｒ2bＨcＳｉＯ(4-b-c)/2                            （２）
（式中、Ｒ2は炭素数１〜１０の置換又は非置換の一価炭化水素基である。また、ｂは０．７〜２．１、ｃは０．００１〜１．０で、かつｂ＋ｃは０．８〜３．０を満足する正数である。）
で示される、１分子中に少なくとも２個のケイ素原子に結合した水素原子を有するオルガノハイドロジェンポリシロキサン                                ０．１〜５０重量部
（Ｃ）室温（２５℃）において液状である少なくとも１種のチキソ性付与剤と、少なくとも１種の固体状チキソ性付与剤                                ０．０１〜３０重量部
（Ｄ）付加反応触媒                                                        触媒量
（Ｅ）比重が０．０１〜０．４０で平均粒径が３００μｍ以下の微小中空フィラー                                                              ０．５〜３０重量部
を含有してなることを特徴とするチキソ性を有する射出成形用シリコーンゴム組成物。
【請求項２】
回転粘度計による測定値が、ＢＨ型粘度計ローター７番・２０回転で５００ポイズ以上であり、ＢＳ型粘度計ローター７番・５回転で２４，０００ポイズ以下である請求項１記載の射出成形用シリコーンゴム組成物。
【請求項３】
ボーイング・フロー・ジグ試験による１分後の垂れが１．２インチ以下のチキソ性を有する請求項１又は２記載の射出成形用シリコーンゴム組成物。
【発明の詳細な説明】
【０００１】
【発明の属する技術分野】
本発明は、チキソ性を有する射出成形用シリコーンゴム組成物に関する。
【０００２】
【従来の技術及び発明が解決しようとする課題】
ゴム材料は一般に金属、プラスチック等に比べ衝撃吸収力が優れているが、中でもシリコーンゴムはその耐熱性、耐候性、電気絶縁性などの良さから多方面への利用が可能である。しかしながら、ゴム材料は粘弾性による歪みで主として衝撃エネルギーを吸収するため、衝撃力方向の材料の厚みが必要となり、重量が必要となってしまうが、近年、輸送機、ＯＡ機器、家電などの各種の分野において軽量化が進む流れの中で、軽量で十分な弾性を有し、多量の成形品の製造が可能な材料が望まれていた。
【０００３】
ゴム材料を軽量化するためにシリコーンゴムに微小中空フィラーを混入することが有効であり、これによりゴムの軽量化は向上するが、ゴム組成物に中空フィラーのように非常に軽いものを混入すると、その比重差から短時間でフィラーが浮き上がり、分離現象が発生してしまう。特に射出成形のように材料をセットした後、連続的に成形を行うシステムでは、経時による中空フィラーの分離現象のため、成形されたサンプルの比重が異なり、硬化したゴムの重量に差が出てしまう。
【０００４】
従って、微小中空フィラーを配合しても分離し難く、安定性の優れた射出成形用シリコーンゴム組成物が望まれていた。
【０００５】
【課題を解決するための手段及び発明の実施の形態】
本発明者らは、上記要望に応えるため鋭意検討を行った結果、アルケニル基含有オルガノポリシロキサン、オルガノハイドロジェンポリシロキサン及び付加反応触媒を含む付加反応硬化型のシリコーンゴム組成物に、微小中空フィラー（マイクロバルーン）を配合すると共に、チキソ性付与剤を配合し、チキソ性を持たせること、特にボーイング・フロー・ジグ試験による１分後の垂れが１．２インチ以下であるようにチキソ性を持たせることにより、微小中空フィラーの浮き上がり、分離が抑制され、安定性に優れた中空フィラー含有射出成形用シリコーンゴム組成物が得られることを知見し、本発明をなすに至ったものである。
【０００６】
即ち、本発明は、
（Ａ）下記平均組成式（１）
Ｒ1aＳｉＯ(4-a)/2                                （１）
（式中、Ｒ1は炭素数１〜１０の置換又は非置換の一価炭化水素基である。また、ａは１．５〜２．８の範囲の正数である。）
で示される１分子中に少なくとも平均２個のアルケニル基を有するオルガノポリシロキサン                                                                  １００重量部
（Ｂ）下記平均組成式（２）
Ｒ2bＨcＳｉＯ(4-b-c)/2                            （２）
（式中、Ｒ2は炭素数１〜１０の置換又は非置換の一価炭化水素基である。また、ｂは０．７〜２．１、ｃは０．００１〜１．０で、かつｂ＋ｃは０．８〜３．０を満足する正数である。）
で示される、１分子中に少なくとも２個のケイ素原子に結合した水素原子を有するオルガノハイドロジェンポリシロキサン                                ０．１〜５０重量部
（Ｃ）室温（２５℃）において液状である少なくとも１種のチキソ性付与剤と、少なくとも１種の固体状チキソ性付与剤                                ０．０１〜３０重量部
（Ｄ）付加反応触媒                                                        触媒量
（Ｅ）比重が０．０１〜０．４０で平均粒径が３００μｍ以下の微小中空フィラー                                                              ０．５〜３０重量部
を含有してなることを特徴とするチキソ性を有する射出成形用シリコーンゴム組成物を提供する。
【０００７】
以下、本発明につき更に詳しく説明する。
（Ａ）成分の１分子中に少なくとも平均２個のアルケニル基を有するオルガノポリシロキサンとしては下記平均組成式（１）で示されるものを用いる。
【０００８】
Ｒ１ａＳｉＯ（４−ａ）／２                              （１）
式中、Ｒ１は互いに同一又は異種の炭素数１〜１０、好ましくは１〜８の置換又は非置換の一価炭化水素基であり、ａは１．５〜２．８、好ましくは１．８〜２．５、更に好ましくは１．９５〜２．０５の範囲の正数である。ここで、上記Ｒ１で示されるケイ素原子に結合した置換又は非置換の一価炭化水素基としては、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、ビニル基、アリル基、プロペニル基、イソプロペニル基、ブテニル基、ヘキセニル基、シクロヘキセニル基、オクテニル基等のアルケニル基や、これらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基、シアノエチル基等が挙げられる。
【０００９】
この場合、Ｒ１のうち少なくとも２個はアルケニル基（炭素数２〜８のものが好ましく、更に好ましくは２〜６である）であることが必要である。なお、アルケニル基の含有量は、前記有機基Ｒ１中０．００５〜１０モル％、特に０．０１〜５モル％とすることが好ましい。このアルケニル基は、分子鎖末端のケイ素原子に結合していても、分子鎖途中のケイ素原子に結合していても、両者に結合していてもよいが、組成物の硬化速度、硬化物の物性等の点から、本発明で用いるオルガノポリシロキサンは、少なくとも分子鎖末端のケイ素原子に結合した脂肪族不飽和結合を含んだものであることが好ましい。
【００１０】
このオルガノポリシロキサンの構造は基本的には直鎖状構造を有するが、部分的には分岐状の構造、環状構造などであってもよい。分子量については、特に限定はなく、粘度の低い液状のものから、粘度の高い生ゴム状のものまで使用できるが、硬化してゴム状弾性体になるためには、２５℃での粘度が１００センチポイズ以上であり、通常１００〜１，０００，０００、特に５００〜１００，０００であることが好ましい。
【００１１】
（Ｂ）成分は、下記平均組成式（２）
Ｒ２ｂＨｃＳｉＯ（４−ｂ−ｃ）／２                          （２）
（式中、Ｒ２は炭素数１〜１０の置換又は非置換の一価炭化水素基である。また、ｂは０．７〜２．１、ｃは０．００１〜１．０で、かつｂ＋ｃは０．８〜３．０を満足する正数であり、好ましくはｂは１．０〜２．０、ｃは０．０１〜１．０、ｂ＋ｃは１．０〜２．５を満足する正数である。）
で示される、１分子中に少なくとも２個のケイ素原子に結合した水素原子を有するオルガノハイドロジェンポリシロキサンである。
【００１２】
上記オルガノハイドロジェンポリシロキサンは１分子中に少なくとも２個、好ましくは２〜２００個、より好ましくは３〜５０個のケイ素原子結合水素原子（即ち、ＳｉＨ基）を有することが必要であり、Ｒ２としては前記Ｒ１で例示したものと同じものを挙げることができるが、アルケニル基等の脂肪族不飽和結合を含有しないものが好ましい。
【００１３】
このようなオルガノハイドロジェンポリシロキサンとしては、メチルハイドロジェン環状ポリシロキサン、両末端トリメチルシロキシ基封鎖メチルハイドロジェンポリシロキサン、両末端トリメチルシロキシ基封鎖ジメチルシロキサン・メチルハイドロジェンポリシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、（ＣＨ３）２ＨＳｉＯ１／２単位と（ＣＨ３）３ＳｉＯ１／２単位とＳｉＯ４／２単位とからなる共重合体、（ＣＨ３）２ＨＳｉＯ１／２単位とＳｉＯ４／２単位とからなる共重合体、（ＣＨ３）２ＨＳｉＯ１／２単位とＳｉＯ４／２単位と（Ｃ６Ｈ５）ＳｉＯ３／２単位とからなる共重合体などが挙げられ、その分子構造は、直鎖状、環状、分岐状、三次元網状（樹脂状）などいずれのものでもよく、また１分子中のケイ素原子数（重合度）は２〜２００、好ましくは４〜１００程度であればよい。
【００１４】
（Ｂ）成分のオルガノハイドロジェンポリシロキサンの配合量は、（Ａ）成分のオルガノポリシロキサン１００重量部に対して０．１〜５０重量部、特に０．３〜３０重量部とすることが好ましい。
【００１５】
また、この配合量は（Ａ）成分中のアルケニル基１モルに対して（Ｂ）成分中のケイ素原子結合水素原子（ＳｉＨ基）の量が０．５〜１０モル、好ましくは０．８〜５モル、更に好ましくは０．８〜２．５モル程度になるように配合してもよい。
【００１６】
（Ｃ）成分のチキソ（チキソトロピック）性付与剤は、材料の流れ性を抑え組成物にチキソ性を付与するものであればいかなるものでも構わないが、一般的には、室温（例えば２５℃）で固体のチキソ性付与剤として、ヒュームドシリカ、ヒュームド酸化チタン、カーボンなどが例示され、これらは通常、平均粒径（例えばレーザー光回折法などによる）が０．００５〜２００μｍ、好ましくは０．０１〜１００μｍ程度であるか、或いは比表面積（ＢＥＴ法などによる）が５０ｍ2／ｇ以上、好ましくは５０〜４００ｍ2／ｇ程度の微粉末状であることが望ましく、これらはそのままでもヘキサメチルシラザン、トリメチルクロロシラン、ポリメチルシロキサンのようなオルガノシラザン、オルガノシラン、オルガノシロキサンなどの有機ケイ素化合物で表面処理したものでもよい。また、室温（例えば２５℃）において液状であるチキソ性付与剤としては、本組成物に対し非相溶なものであればいかなるものでもよく、ポリエチレンオキサイド、ポリプロピレンオキサイド、ポリエチレングリコール、ポリプロピレングリコールなどのポリエーテル化合物、或いはそれらとシロキサン化合物とのブロックポリマー、ジメチルシロキサンとジフェニルシロキサンとの共重合体などが主として用いられる。なお、チキソトロピック性を十分安定的に発現するためには、少なくとも１種の液状チキソ性付与剤と少なくとも１種の固体状チキソ性付与剤とを併用して配合する。チキソ性付与剤の配合量は、（Ａ）成分１００重量部に対し、０．０１〜３０重量部、好ましくは０．０３〜２０重量部で、１種を単独で又は２種以上を併用して用いることができる。配合量が少ないと十分なチキソ性が得られず、多いと成形性、ゴム物性などに悪影響を与えてしまう。
【００１７】
（Ｄ）成分の付加反応触媒としては、白金黒、塩化第２白金、塩化白金酸、塩化白金酸と１価アルコールとの反応物、塩化白金酸とオレフィン類との錯体、白金ビスアセトアセテートなどの白金系触媒、パラジウム系触媒、ロジウム系触媒などが挙げられる。
【００１８】
なお、（Ｄ）成分の付加反応触媒の配合量は触媒量とすることができ、通常（Ａ）、（Ｂ）成分の合計重量に対して白金原子量で１〜１，０００ｐｐｍ、好ましくは５〜２００ｐｐｍ程度とすることができる。
【００１９】
（Ｅ）成分の中空フィラー（マイクロバルーン）は、硬化物内に気体部分を持つことでスポンジゴムのように軽量化を可能にするもので、このような材料としては、ガラスバルーン、シリカバルーン、カーボンバルーン、フェノール樹脂バルーン、塩化ビニリデン樹脂バルーン、塩化ビニリデンと（メタ）アクリロニトリルとの共重合体からなる樹脂バルーン、アルミナバルーン、ジルコニアバルーン、シラスバルーンなどいかなるものでも構わない。また中空フィラーの強度を持たせるため等の理由で表面に無機フィラー等を付着させたものでもよい。但し、シリコーンゴム組成物内で十分な軽量化を行うには、中空フィラーの真比重が０．０１〜０．４０、好ましくは０．０２〜０．３０で、０．０１より小さいと配合、取り扱いが難しいばかりか、中空フィラーの耐圧強度が不十分で成形時に破壊してしまい、軽量化ができなくなってしまう。また中空フィラーの粒径は、３００μｍ以下、通常１〜３００μｍ、好ましくは５〜２００μｍ、更に好ましくは１０〜１００μｍ程度で、粒径が大きすぎると成形時の射出圧力により中空フィラーが破壊されてしまい軽量化が不十分となってしまう。
【００２０】
（Ｅ）成分の中空フィラーの配合量は（Ａ）成分のオルガノポリシロキサン１００重量部に対し０．５〜３０重量部、好ましくは１．０〜２０重量部で、少なすぎると材料の軽量化が不十分で、多すぎると配合が困難でかつゴム強度も不十分なものとなってしまう。また、この中空フィラーの配合量は、上記と同様の理由から、ゴム材料（即ち、中空フィラー含有オルガノポリシロキサン組成物全体）に対して体積比率で１０〜８０容量％、特に１５〜７５容量％であることが好ましい。
【００２１】
これら（Ａ）〜（Ｅ）成分に、成形品の機械的強度を向上させるため、耐熱性を向上させるため、難燃性を向上させるためなどの理由で本発明の効果を損なわない範囲で充填剤を配合してもよい。このような充填剤としては、沈殿シリカ、粉砕石英、アスベスト、アルミノケイ酸、酸化鉄、酸化亜鉛、炭酸カルシウム、炭酸マグネシウム、酸化セリウムのような非補強性充填剤が例示され、そのままでもヘキサメチルシラザン、トリメチルクロロシラン、ポリメチルシロキサンのような有機ケイ素化合物で表面処理したものでもよい。
【００２２】
本発明のシリコーンゴム組成物は、上記（Ａ）〜（Ｅ）成分を主成分とするが、これはチキソ性（チキソトロピック性）を有することが必要である。ここで有するチキソ性とは、下記に示されるボーイング・フロー・ジグ試験により、１分後の材料の垂れが、１．２インチ以下、即ち、０〜１．２インチ、好ましくは０〜１インチのものを言い、１．２インチを超えると中空フィラーが浮上し易く経時で分離してしまい、硬化物が比重の異なるゴムとなってしまう。
〔ボーイング・フロー・ジグ試験〕
試験組成物の垂れ落ち抑制の量を定めるためのテストで、組成物をボーイング・フロー・ジグのボウル部分に入れ、次いで水平試験ジグをとり、これを一端を下にして立てて、組成物がスケール上のボウルから鉛直下方に流れるようにする。重力の作用により下に流れる量を６０秒後に流れの長さ（インチ）として測定する（通常３５秒後であるが、本材料ではその差を明確にするため６０秒後とした）。
【００２３】
更に、本発明の組成物は、一定の粘度範囲にあることが好ましく、例えば、  ＢＨ型粘度計ローター７番・２０回転で５００ポイズ以上であり、ＢＳ型粘度計ローター７番・５回転で２４，０００ポイズ以下が好ましく、より好ましくはＢＨ型粘度計ローター７番・２０回転で８００ポイズ以上であり、ＢＳ型粘度計ローター７番・５回転で２０，０００ポイズ以下である。５００ポイズ未満では、中空フィラーが分離し易く、２４，０００ポイズを超えると、材料の製造が困難であるばかりでなく、射出成形時の圧力により中空フィラーが破壊してしまうという問題が生じる場合がある。
【００２４】
【発明の効果】
本発明によれば、中空フィラーの浮き、分離が抑えられ、安定性の高いものである。
【００２５】
【実施例】
以下、実施例と比較例を示し、本発明を具体的に説明するが、本発明は下記の実施例に制限されるものではない。なお、下記例で部は重量部を示す。また、ＭｅはＣＨ３を示す。
【００２６】
〔実施例１〕
２５℃での粘度が５，０００ｃｓである分子鎖両末端ビニル基含有ジメチルポリシロキサン１００部、２５℃での粘度が５，０００ｃｓの側鎖ビニル基含有ジメチルポリシロキサン（ビニル価０．０００７ｍｏｌ／ｇ）２０部、チキソ性付与剤として比表面積が１１０ｍ２／ｇである疎水化処理されたヒュームドシリカ（日本エアロジル社製、Ｒ−９７２）８部、比重０．０４、塩化ビニリデンとアクリロニトリルを主成分とするコポリマー樹脂からなる平均粒径４０μｍの中空フィラー（エクスパンセル社製、ＥｘｐａｎｃｅｌＤＥ）４部（組成物全体に対して４３容量％）をプラネタリーミキサーに入れ、３０分撹拌を続けた後、更に下記式（ａ）で示されるメチルハイドロジェンポリシロキサン５．７部、反応制御剤としてエチニルシクロヘキサノール０．０５部、液状チキソ性付与剤としてポリエチレングリコール１部を添加し、１５分撹拌を続け、シリコーンゴム組成物（１）を得た。この組成物の粘度及びチキソ性を測定すると、ＢＳ型粘度計ローター７番・１０ｒｐｍで３，６００ポイズ、５ｒｐｍで４，２００ポイズ、ボーイング・フロー・ジグ試験によるチキソ性は０．６５インチであった。この組成物１３２部に塩化白金酸の１％イソプロピルアルコール溶液を０．１部添加し、撹拌・脱泡後、２ｍｍのシート状にし、１５０℃のオーブンで１５分キュアさせ、冷却後の比重を測定すると０．５５であった。一方、同じシリコーンゴム組成物（１）を直径１１０ｍｍ、高さ１４０ｍｍの金属製丸缶に５００ｇ充填し、２５℃で１週間放置後缶上部の材料１３２ｇを取り出し、同じ塩化白金酸の１％イソプロピルアルコール溶液を０．１ｇ添加し、撹拌・脱泡後、２ｍｍのシート状にし、１５０℃のオーブンで１５分キュアさせ、冷却後の比重を測定すると０．５４であった。
【００２７】
【化１】
0003599091.tif 000002
【００２８】
〔実施例２〕
２５℃での粘度が５，０００ｃｓである分子鎖両末端ビニル基含有ジメチルポリシロキサン１００部、２５℃での粘度が５，０００ｃｓの側鎖ビニル基含有ジメチルポリシロキサン（ビニル価０．０００７ｍｏｌ／ｇ）２０部、チキソ性付与剤として比表面積が２００ｍ２／ｇであるヒュームドシリカ（日本エアロジル社製、エアロジル２００）５部、比重０．０４、平均粒径４０μｍの実施例１と同様の中空フィラー（エクスパンセル社製、ＥｘｐａｎｃｅｌＤＥ）２部（組成物全体に対して２８容量％）をプラネタリーミキサーに入れ、３０分撹拌を続けた後、上記式（ａ）で示されるメチルハイドロジェンポリシロキサン５．７部、反応制御剤としてエチニルシクロヘキサノール０．０５部、液状チキソ性付与剤として下記式（ｂ）で示されるジメチルシロキサン・ジフェニルシロキサン共重合体３部を添加し、１５分撹拌を続け、シリコーンゴム組成物（２）を得た。この組成物の粘度及びチキソ性を測定すると、ＢＨ型粘度計ローター７番・１０ｒｐｍで２，１００ポイズ、２０ｒｐｍで１，７００ポイズ、チキソ性は０．８１インチであった。実施例１と同様にして得た１週間保存前後での硬化物の比重を測定すると、保存前０．６７、保存後０．６６であった。
【００２９】
【化２】
0003599091.tif 000003
【００３０】
〔実施例３〕
２５℃での粘度が５，０００ｃｓである分子鎖両末端ビニル基含有ジメチルポリシロキサン１００部、２５℃での粘度が５，０００ｃｓの側鎖ビニル基含有ジメチルポリシロキサン（ビニル価０．０００７ｍｏｌ／ｇ）２０部、チキソ性付与剤として比表面積が１１０ｍ２／ｇである疎水化処理されたヒュームドシリカ（日本エアロジル社製、エアロジル２００）７部、比重０．１３、平均粒径１００μｍの炭酸カルシウムにより表面をコーティングされた、ポリアクリロニトリル樹脂を主成分とする中空フィラー（松本油脂製薬社製、マイクロスフィアーＭＦＬ−１００ＣＡ）１２部（組成物全体に対して４２容量％）をプラネタリーミキサーに入れ、３０分撹拌を続けた後、上記式（ａ）で示されるメチルハイドロジェンポリシロキサン５．７部、反応制御剤としてエチニルシクロヘキサノール０．０５部、液状チキソ性付与剤としてポリエチレングリコール１部を添加し、１５分撹拌を続け、シリコーンゴム組成物（３）を得た。この組成物の粘度及びチキソ性を測定すると、ＢＨ型粘度計ローター７番・１０ｒｐｍで３，２００ポイズ、ＢＳ型粘度計ローター７番・５ｒｐｍで３，５００ポイズ、チキソ性は０．７５インチであった。実施例１と同様にして得た１週間保存前後での硬化物の比重を測定すると、保存前０．５８、保存後０．５５であった。
【００３１】
〔比較例１〕
２５℃での粘度が５，０００ｃｓである分子鎖両末端ビニル基含有ジメチルポリシロキサン１００部、２５℃での粘度が５，０００ｃｓの側鎖ビニル基含有ジメチルポリシロキサン（ビニル価０．０００７ｍｏｌ／ｇ）２０部、比重０．０４、実施例１と同様の平均粒径４０μｍの中空フィラー（エクスパンセル社製、ＥｘｐａｎｃｅｌＤＥ）４部（組成物全体に対して４４容量％）をプラネタリーミキサーに入れ、３０分撹拌を続けた後、上記式（ａ）で示されるメチルハイドロジェンポリシロキサン５．７部、反応制御剤としてエチニルシクロヘキサノール０．０５部を添加し、１５分撹拌を続け、シリコーンゴム組成物（４）を得た。この組成物の粘度及びチキソ性を測定すると、ＢＨ型粘度計ローター７番・１０ｒｐｍで１，９００ポイズ、２０ｒｐｍで１，６００ポイズ、チキソ性は１．４８インチであった。実施例１と同様にして得た１週間保存前後での硬化物の比重を測定すると、保存前０．５１、保存後０．２９であった。
【００３２】
〔比較例２〕
２５℃での粘度が５，０００ｃｓである両末端ビニル基含有ジメチルポリシロキサン１００部、２５℃での粘度が５，０００ｃｓの側鎖ビニル基含有ジメチルポリシロキサン（ビニル価０．０００７ｍｏｌ／ｇ）２０部、実施例３と同様の比重０．１３、平均粒径１００μｍの炭酸カルシウムにより表面をコーティングされた中空フィラー（松本油脂製薬社製、マイクロスフィアーＭＦＬ−１００ＣＡ）１２部（組成物全体に対して４２容量％）をプラネタリーミキサーに入れ、３０分撹拌を続けた後、上記式（ａ）で示されるメチルハイドロジェンポリシロキサン５．７部、反応制御剤としてエチニルシクロヘキサノール０．０５部を添加し、１５分撹拌を続け、シリコーンゴム組成物（５）を得た。この組成物の粘度及びチキソ性を測定すると、ＢＨ型粘度計ローター７番・２０ｒｐｍで９００ポイズ、１０ｒｐｍで１，０００ポイズ、チキソ性は１．７２インチであった。実施例１と同様にして得た１週間保存前後での硬化物の比重を測定すると、保存前０．６５、保存後０．４１であった。
【００３３】
〔実施例４〕
信越化学工業製付加硬化型液状シリコーンゴム材料ＫＥ１２１８Ａ液（主剤）／Ｂ液（硬化剤）各５０部に、チキソ性付与剤として比表面積が１１０ｍ２／ｇである疎水化処理されたヒュームドシリカ（日本エアロジル社製、エアロジル２００）７部、比重０．０４、平均粒径４０μｍの実施例１と同様の中空フィラー（エクスパンセル社製、ＥｘｐａｎｃｅｌＤＥ）３．５部（組成物全体に対して５３容量％）、液状チキソ性付与剤としてポリエチレングリコール１部を添加し、１５分撹拌を続け、シリコーンゴム組成物（６）を得た。この組成物の粘度及びチキソ性を測定すると、ＢＨ型粘度計ローター７番・２０ｒｐｍで１，５００ポイズ、１０ｒｐｍで１，８００ポイズ、チキソ性は０．８３インチであった。実施例１と同様に混合直後の比重、及び直径１１０ｍｍ、高さ１４０ｍｍの金属製丸缶に同組成物５００ｇを充填し、２５℃で１週間放置後缶上部の材料を硬化させたゴムの比重を測定すると、保存前０．６３、保存後０．６１であった。
【００３４】
〔比較例３〕
信越化学工業製付加硬化型液状シリコーンゴム材料ＫＥ１２１８Ａ液（主剤）／Ｂ液（硬化剤）各５０部に、比重０．０４、平均粒径４０μｍの実施例１と同様の中空フィラー（エクスパンセル社製、ＥｘｐａｎｃｅｌＤＥ）３．５部（組成物全体に対して５５容量％）を添加し、１５分撹拌を続け、シリコーンゴム組成物（７）を得た。この組成物の粘度及びチキソ性を測定すると、ＢＨ型粘度計ローター７番・２０ｒｐｍで８００ポイズ、１０ｒｐｍで９００ポイズ、チキソ性は１．９６インチであった。実施例１と同様に混合直後の比重、及び直径１１０ｍｍ、高さ１４０ｍｍの金属製丸缶に同組成物５００ｇを充填し、２５℃で１週間放置後缶上部の材料を硬化させたゴムの比重を測定すると、保存前０．５８、保存後０．３４であった。
【００３５】
〔実施例５〕
２５℃での粘度が５，０００ｃｓである両末端ビニル基含有ジメチルポリシロキサン１００部、２５℃での粘度が５，０００ｃｓの側鎖ビニル基含有ジメチルポリシロキサン（ビニル価０．０００７ｍｏｌ／ｇ）２０部、チキソ性付与剤として比表面積が１１０ｍ２／ｇである疎水化処理されたヒュームドシリカ（日本エアロジル社製、Ｒ−９７２）７部、比重０．３０、平均粒径６０μｍのガラス中空フィラー（ガラスバルーン；東海工業社製、セルスター）３０部（組成物全体に対して４４容量％）をプラネタリーミキサーに入れ、３０分撹拌を続けた後、実施例１の式（ａ）で示されるメチルハイドロジェンポリシロキサン５．７部、反応制御剤としてエチニルシクロヘキサノール０．０５部、液状チキソ性付与剤としてポリエチレングリコール１部を添加し、１５分撹拌を続け、シリコーンゴム組成物（８）を得た。この組成物の粘度及びチキソ性を測定すると、ＢＨ型粘度計ローター７番・１０ｒｐｍで４，５００ポイズ、チキソ性は０．５２インチであった。実施例１と同様にして得た１週間保存前後での硬化物の比重を測定すると、保存前０．７９、保存後０．７７であった。